(57)【要約】【課題】  床面を常に清潔で衛生的な状態に保つことができ、清掃や洗濯等の手間を必要としない定形性の優れたトイレの床敷の提供。【解決手段】  複数の水溶性薄紙を積み重ねて周縁を加圧し当該周縁を水溶可能に接合してなる積層構造、又は複数の水溶性薄紙を積み重ねて全体を加圧し当該全体を水溶可能に接合してなる硬直性の積層構造を有し、便器の前面に倣った湾状辺１と、使用者の足下を避けた凸状辺２とを備えた形状に成形したトイレ用床敷。【選択図】      図１
2006025922.tif 000002
【特許請求の範囲】
【請求項１】
複数の水溶性薄紙を積み重ねて周縁を加圧し当該周縁を水溶可能に接合してなる積層構造を有し、便器の前面に倣った湾状辺（１）と、使用者の足下を避けた凸状辺（２）とを備えた形状に成形したトイレ用床敷。
【請求項２】
複数の水溶性薄紙を積み重ねて全体を加圧し当該全体を水溶可能に接合してなる硬直性の積層構造を有し、便器の前面に倣った湾状辺（１）と、使用者の足下を避けた凸状辺（２）とを備えた形状に成形したトイレ用床敷。
【請求項３】
約５ｍｍから約１０ｍｍの厚さに接合してなる積層構造を有する前記請求項１又は請求項２のいずれかに記載のトイレ用床敷。
【請求項４】
前記湾状辺における中央部の縁部に、複数の切り込み（３）を設けた前記請求項１乃至請求項３のいずれかに記載のトイレ用床敷。
【発明の詳細な説明】
【技術分野】
【０００１】
本発明は、便器前方の床面の、尿の飛沫や垂れによる汚れの付着を防止すると共に、生じた汚れを比較的容易に清掃することができる便器前方に敷設するための床敷に関する。
【背景技術】
【０００２】
トイレにおいて尿が完全に便器内で受け止められず便器周囲の床に飛散している場面が多々見受けられる。尿で塗れた床面は悪臭を放ち非常に不衛生であって見た目にも不快である。この様な状況下、トイレの床面に敷設される汚れ防止を目的としたシートは、従来から多数紹介されており、その構成も様々であるが、尿を効率よく吸収させ、素早く閉じこめる為に、紙、或いは水分を含むとゼリー状になる高分子ポリマー等の素材や、雑菌の繁殖等による悪臭を抑える防臭効果を備えた化学素材等を用いたものが一般的である（例えば引用文献１参照）が、使用済みのシートの処分が煩雑であることから、中には、下記引用文献２の様に、吸水性層をトイレットペーパー等の水洗トイレに流せる水溶性シートから構成し、使用後はそのままトイレに流すことができるような構成を採った小便の滴取りマットも紹介されている。
【０００３】
【特許文献１】特開２００３−２９００８４
【特許文献２】特開２００２−１６５７２９
【発明の開示】
【発明が解決しようとする課題】
【０００４】
しかしながら、上記引用文献２において、そのままトイレに流すことが出来る様な構成を採ったにも関わらず、トイレに流すことの出来ない非吸水性層を併用する手段が紹介されていることでも分かる様に、実用上、水溶性シートを単に積層したのみでは、湿気を帯びた際の定形性が極めて悪く、ましてや、当該水溶性シートを採用した吸水性層に使用者が乗る様な構成では、使用者の履き物の裏面を介して破れた紙がトイレの床面に散らばって付着するという新たな問題点が生じてくる。
【０００５】
本発明は上記課題を解決するためになされたものであって、床面を常に清潔で衛生的な状態に保つことができ、清掃や洗濯等の手間を必要としない定形性の優れたトイレの床敷を提供することを目的とする。
【課題を解決するための手段】
【０００６】
上記課題を解決する本発明によるトイレ用床敷は、複数の水溶性薄紙を積み重ねて周縁を加圧し当該周縁を水溶可能に接合してなる積層構造、又は複数の水溶性薄紙を積み重ねて全体を加圧し当該全体を水溶可能に接合してなる硬直性の積層構造を有し、便器の前面に倣った湾状辺と、使用者の足下を避けた凸状辺とを備えた形状に成形したことを特徴とする。当該床敷全体を以て好適な水溶性を確保するには、約５ｍｍから約１０ｍｍの厚さに接合してなる積層構造とすることが望ましく、取り替えの便宜を図るべく当該床敷を複数枚重ね置きし、上から順に一枚又は数枚ずつ廃棄する使い方も出来る。また、便器の前面にフィットさせやすくする為に、前記湾状辺における中央部の縁部に、複数の切り込みを設けた構成を採ることもできる。
【発明の効果】
【０００７】
本発明によるトイレの床敷は、複数の水溶性薄紙を積み重ねて周縁を加圧し当該周縁を水溶可能に接合してなる積層構造を有するので、水分の吸収力と好適な水溶性を維持しつつ、実用的な保形性が得られる。また、複数の水溶性薄紙を積み重ねて全体を加圧し当該全体を水溶可能に接合してなる硬直性の積層構造を有し、硬直性を奏する程度に固化されているので、破れやすい素材の積層体でありながら、多少の湿気を帯びようともその保形性が確保できると共に、一定以上の吸湿部分の膨潤によって軟化し、当該吸湿部分のみの作為的な剥離も容易に行えるので、常に見栄えの良い状態に保つことが出来る。しかも、当該トイレの床敷全てが水溶性薄紙を素材とし、剥離した部分は部分的に膨潤軟化し、全体が湿気を帯びた場合には全体が膨潤軟化しているので、コスト安である他、トイレに流す場合にも速やかに溶解し、配管の詰まりを防止することができる。
【０００８】
また、便器の前面に倣った湾状辺と、使用者の足下を避けた凸状辺とを備えた形状に成形したことによって、便器から外れた飛沫による床面の汚れを防止しながらも、使用者が当該床敷に乗らない構成を採っているので、使用者の履き物の裏面を介して破れた紙がトイレの床面に散らばって付着するという問題も回避できる。更に、前記湾状辺の全長に亘って、その縁部に、複数の切り込みを設けた構成を採ることによって、便器の前面に設けられた湾曲の微妙な相違にも倣う形に変形させて敷設することができ、便器近傍における飛沫の取りこぼしを防止できる。
【発明を実施するための最良の形態】
【０００９】
以下、本発明によるトイレの床敷の実施の形態を図面に基づき説明する。
図１に示す例は、複数の水溶性薄紙を積層・加圧により約７ｍｍの厚さに接合し、便器の前面５に倣った湾状辺１と、使用者の足下を避けた凸状辺２とを備えたＵ字形状に成形したトイレ用床敷である。
【００１０】
前記水溶性薄紙としては、水溶性の紙，不織布，その他のシートであって、木材，リンター，竹，バガス，麻等のパルプや、コットン，麻セルロース等の天然セルロース、レーヨン等の再生セルロース等を用い乾式不織方法，乾式抄紙方法等により紙状，不織布状，シート状に形成したものが用いられる。
【００１１】
当該トイレの床敷の裁断は、前記水溶性薄紙を数十枚程度重ねて加圧すると共に、前記Ｕ字形状の型を用い高圧で打ち抜くことにより行う。当該裁断工程における床敷周縁の高圧による加圧によって周縁を水溶可能に接合してなる積層構造体４が得られるが、場合によっては、裁断を行った後に高圧で周縁部を連続的、或いは間欠的に加圧し接合してもよい。
【００１２】
また、トイレの構造上、或いは当該トイレが設けられた家屋の用途等により、トイレ床面の湿気が恒常的に比較的多くなることが避けられない場合には、前記水溶性薄紙を数十枚程度重ねてその表面全体を加圧すると共に、前記Ｕ字形状の型を用い高圧で打ち抜くことにより、当該表面全体を水溶可能に接合してなる硬直性の厚紙の様な積層構造体４として形性しても良い。
【００１３】
尚、周縁の接合強度が不足し一体化が不完全となり得る場合には、当該トイレ用床敷の端面６からの湿気の侵入を調整し、適正な保形性を与えるべく、裁断面、即ち、水溶性薄紙が重合層が露出する端面６に水溶性糊等を適宜塗布して固めても良い。
【００１４】
更に、各メーカーの多種多様な便器について、図２の如くそれらの前面形状にフィットし易い様に、前記湾状辺１の中央部、或いは、中央部１ａ及び左右翼部１ｂの一部、又はそれら全長に亘って、その縁部に、１０ｍｍ程度の複数の切り込み３を１０ｍｍ間隔で左右対称に設けた。当該切り込み３の深さや、切り込み３相互の間隔等、前記切り込み３の設け方は、床敷の厚み等に応じて適宜調整することができる。
【００１５】
尚、上記例の肉厚は、当該例を一単位として、そのまま便器内への投入に耐え得る肉厚の一態様を設定したものであり、剥離した水溶性薄紙を適宜分割して便器に投入する場合には、更に厚肉な設定とすることもできる。使用時における当該床敷の不潔感を防止する意味では、尿の吸収を実感させない濃い色を水溶性薄紙の色彩として採用することが望ましい。
【産業上の利用可能性】
【００１６】
清掃作業の不潔感や煩雑さをも解消できるのみならず、家庭、病院、学校、各種店舗、各種娯楽・宿泊施設、或いはオフィス等において、便器周辺の不潔感を解消することができ、各種施設の利用促進にも寄与することとなる。
【図面の簡単な説明】
【００１７】
【図１】本発明によるトイレの床敷の第一の例を示す（Ａ）：平面図及び（Ｂ）：側面図、並びに第二の例を示す（Ｃ）：平面図及び（Ｄ）：側面図である。
【図２】本発明によるトイレの床敷の実施態様例を示す斜視図である。
【符号の説明】
【００１８】
１  湾状辺，２  凸状辺，３  切り込み，４  積層構造体，５  前面，６  端面，
【図１】
2006025922.tif 000003
【図２】
2006025922.tif 000004